(57)【要約】      （修正有）【課題】本発明の課題は、粉塵などの多い作業環境においても、作業者が、切断位置を示す墨線をはっきり見ることができ、正確な作業ができる携帯用電動切断工具を提供することである。【解決手段】鋸刃４が被削材と接触する刃先部及びベース２の先端部を照明する照明装置とを有する携帯用電動切断工具において、上記照明装置は鋸刃が被削材と接触する刃先部を照明する第１及び第２の発光ダイオードと、ベースの先端部を照明する第３及び第４の発光ダイオードＬ１，Ｌ２と、上記各発光ダイオードに電力を供給するための電子回路部と上記電力の供給を切断するスイッチとからなり、上記照明装置全体を鋸刃の面と、ハンドル部の延長する面との間の電動切断工具本体の空間に配置した。【選択図】  図１
2004209760.tif 000002
【特許請求の範囲】
【請求項１】
ベースと、該ベースに対して傾斜可能に支持された電動切断工具本体とよりなり、該切断工具本体は、電動機と、該電動機により回転駆動される鋸刃と、該鋸刃の面とほぼ平行に上記本体に取り付けられたハンドル部と、所望の領域を照明する照明装置とを有する携帯用電動切断工具において、上記照明装置は発光ダイオード部と、該各発光ダイオード部に電力を供給するための電子回路部と上記電力の供給を切断するスイッチとを有するユニットとし、該ユニットを上記鋸刃と、上記ハンドル部との間の電動切断工具本体の空間に取り付けたことを特徴とする照明装置を有する携帯用電動切断工具。
【請求項２】
請求項１において、前記ユニットはギアケースに取付けられていることを特徴とする携帯用電動切断工具。
【請求項３】
請求項１において前記発光ダイオード部は、切断方向前方における鋸刃の刃先部がベースの底面と平行な面より突出る切断部付近を照射する発光ダイオードを有することを特徴とする携帯用電動切断工具。
【請求項４】
請求項１において前記発光ダイオード部は、切断方向前方におけるベース端部付近を照射する発光ダイオードを有することを特徴とする携帯用電動切断工具。
【請求項５】
請求項１において前記発光ダイオード部は、切断方向前方における鋸刃の刃先部がベースの底面と平行な面より突出る切断部付近を照射する発光ダイオードと切断方向前方におけるベース端部付近を照射する発光ダイオードとを有することを特徴とする携帯用電動切断工具。
【請求項６】
請求項３において前記発光ダイオードは、切込み深さが深い時に前記切断部付近を主として照射する第１の発光ダイオードと、切込み深さが浅い時に前記切断部付近を主として照射する第２の発光ダイオードを有することを特徴とする携帯用電動切断工具。
【請求項７】
請求項４において前記発光ダイオードは、切込み深さが深い時に前記ベース先端部付近を主として照射する第１の発光ダイオードと、切込み深さが浅い時に前記ベース先端部付近を主として照射する第２の発光ダイオードを有することを特徴とする携帯用電動切断工具。
【請求項８】
請求項６において前記第１及び第２の発光ダイオードからの光照射方向の中心軸は、前記鋸刃の側面に対して傾斜していることを特徴とする携帯用電動切断工具。
【請求項９】
請求項１において前記発光ダイオード部は、発光波長が５５０ｎｍ〜６２０ｎｍの範囲にある単色光を発光する発光ダイオードを有することを特徴とする携帯用電動切断工具。
【発明の詳細な説明】
【０００１】
【発明の属する技術分野】
本発明は携帯用電動切断工具に係り、特に切断部付近を照らすための照明装置を備えた電動工具に関するものである。
【０００２】
【従来の技術】
【特許文献１】特開平１１−１７０２０３号公報
【特許文献２】実開昭６０−９８６０２号公報
【特許文献３】特開２００１−３００８１８号公報
【特許文献４】米国特許第５，４６１，７９０号公報
電動丸のこ等の電動切断工具は被削材に書かれた墨線に沿ってその被削材を切断する用途に多用されている。図１０は携帯用集塵丸のこ１により被削材２０を切断している状況を示しており、ベース２に設けられた切込部１２を墨線２１に合わせて丸のこ本体１を移動することにより鋸刃４が墨線２１に沿って被削材２０を切断する。図１１は一部を拡大して示したもので鋸刃４が被削材を切断する際、多量の切粉が発生する状況を示している。
実開昭６０−９８６０２（特許文献２）には電動丸のこを使って精度の高い作業を行うために回転刃の保護カバーに透明窓を有する照明器を取り付け、その内部に電球を配設した構造が開示されている。
【０００３】
また特開平１１−１７０２０３（特許文献１）にはのこ刃の刃先の視認性及び組立性の向上性を図るため、のこ刃の刃先をのこ刃の切断方向に対して直角方向に照らす電球を設けた携帯用丸のこが開示されている。
【０００４】
更に特開２００１−３００８１８（特許文献３）には、切断加工により切り粉が巻き上げられても照明効率が低下しにくいようにするため、切断刃に対して面直方向にずれた位置に電球を配置した携帯用丸のこが開示されている。
【０００５】
また米国特許第５，４６１，７９０（特許文献４）には、丸のこを用いてより精度の高い切断を行うために、のこ刃のシールド部にレーザダイオードを設けた構造が提案されている。
【０００６】
【発明が解決しようとする課題】
上述のように照明装置を備えた電動切断工具は、照明する部位により２つのタイプに大別される。第１は電動切断工具により被削材を切断する時に、使用者は切断工具に設けられたベースのガイド部、即ちベース先端に設けられた刃先位置を指し示すガイド部と、被削材に書かれた墨線とを一致させるようにして切断工具を移動することを考慮して、ベースのガイド部の先端近辺を照明するタイプである。
【０００７】
第２は電動切断工具を移動するガイドとして、ベース先端に設けられた刃先位置を指し示すガイド部及び墨線を利用するものの、作業者は切断工具の刃先が実際に被削材の所望の部分を切断しているかどうかを確認しながら切断工具を移動することを考慮して、切断工具の刃先が被削材を切断する箇所の近辺を照明するタイプである。
【０００８】
第１のタイプの照明装置を備えた電動切断工具の場合、電球やレーザダイオードの照明器をベースから離れた本体の比較的高い部所に取り付け、上から斜め方向に照射するような構造にならざるを得ない。しかし丸のこや集塵用丸のこの場合、切込深さを変えるために丸のこ本体が所定の支点を中心に回動するような構造を有するため、その回動に伴って照明する領域が変わってしまい、常に所望の部位を照らすのが困難になる。特に集塵丸のこが使用される環境のように、切り粉が多量に発生する環境では照明装置が役に立たなくなることもしばしば生じる。
【０００９】
第２のタイプの照明装置を備えた電動切断工具の場合、鋸刃が被削材を切断している部分を直接照明するが、最も粉塵の多い部位を照明するため粉塵により光が遮断され作業者の望むような照明が得られなくなることも多い。
【００１０】
一方、照明装置の取り付け場所から見ると、これもいくつかの提案がなされている。一つは、特許文献２及び４に開示されているように照明すべき領域から離間した位置にある保護カバーの上面にランプやＬＥＤを取り付ける構造である。
【００１１】
また、照明すべき部位に近接した位置にランプを取り付けるものであり、例えば特許文献１には丸のこ刃先よりも前方に突き出した構造のヒンジ部に照明装置を設け、のこ刃を横方向から照射する方式が提案されている。
【００１２】
いずれのタイプにも一長一短があるが、いずれにしても照明すべき部位、領域が多くなると照明装置自体の占めるボリュームも大きくなるからその取り付け場所を確保するのが容易ではない。
【００１３】
本発明は上記のような問題を解決した携帯用電動切断工具を提供することを目的とする。すなわち、本発明は発光ダイオード部と電子回路部を有する照明装置をコンパクトに収納し、且つ粉塵が多量に存在する作業環境でも目視したい領域が見易い場所に照明装置を配置した電動工具を提供することを目的とするものである。
【００１４】
【課題を解決するための手段】
上記の目的を達成するために本発明は、ベースと、該ベースに対して傾斜可能に支持された電動切断工具本体とよりなり、該切断工具本体は、電動機と、該電動機により回転駆動される鋸刃と、該鋸刃の面とほぼ平行に上記本体に取り付けられたハンドル部と、所望の領域を照明する照明装置とを有する携帯用電動切断工具において、上記照明装置を発光ダイオード部と、該各発光ダイオード部に電力を供給するための電子回路部と上記電力の供給を切断するスイッチとよりなるユニットとして構成し、該ユニットを上記鋸刃と、上記ハンドル部との間の電動切断工具本体の空間に取り付けたことに一つの特徴がある。
本発明の他の特徴は、前記ユニットをギアケースに取付けたことにある。本発明の更に他の特徴は、前記発光ダイオード部を、切断方向前方における鋸刃の刃先部がベースの底面と平行な面より突出る切断部付近を照射する発光ダイオード及び切断方向前方におけるベース端部付近を照射する発光ダイオードの一方又は両方から構成したことにある。
本発明の他の特徴は、前記発光ダイオード部を、切込み深さが深い時に前記切断部付近を主として照射する第１の発光ダイオードと、切込み深さが浅い時に前記切断部付近を主として照射する第２の発光ダイオードから構成したことにある。
【００１５】
本発明の他の特徴は、前記発光ダイオード部を、切込み深さが深い時に前記ベース先端部付近を主として照射する第１の発光ダイオードと、切込み深さが浅い時に前記ベース先端部付近を主として照射する第２の発光ダイオードとより構成したことにある。本発明の他の特徴及び利点は以下の実施形態の説明から更に明瞭に理解される。
【００１６】
【発明の実施の形態】
本発明は各種の電動切断工具に適用可能であるが、特に携帯用集塵丸のこに適用したときに特に大きな効果が得られるので以下携帯用集塵丸のこの実施例について説明する。
【００１７】
図１は本発明の実施例を示す正面図、図２は要部断面側面図、図３は背面図である。携帯用集塵丸のこは、丸のこ本体１と、切断すべき被削材の上面に載せるベース２とを備えている。丸のこ本体１とベース２とが相対的に回動し、ベース２下面からの鋸刃４の突出量、即ち切込み深さを可能とするために、回動支点となる支持部３によって丸のこ本体１とベース２とが連結されている。４は円形の鋸刃で丸のこ本体に回動可能に保持され、電動機（図示せず）を動力として回転駆動する。鋸刃４の上側と側方はソーカバー５により覆われている。
【００１８】
鋸刃４の回転軸６にはセーフティーカバー７が回動可能に取り付けられて、これにより鋸刃４の下側ほぼ半周の範囲がカバーされる。丸のこ本体１を切断進行方向に移動させると回動して鋸刃４の下側半分が徐々に露出されるように構成されている。
【００１９】
鋸刃４の側面部にはギヤケース８が設けられている。このギヤケース８内には電動機カバー９内に設けられた電動機の回転を減速させるための歯車（図示せず）が内蔵されている。電動機の回転は上記ギヤケース８内の歯車を介して鋸刃４の回転軸６に伝達されることにより鋸刃４が回転する。鋸刃４の回転により被削材を切断することにより発生した粉塵は管状をした粉塵排出口１１から外部に放出される。
【００２０】
本実施形態においては照明用の発光ダイオードが４個搭載されている。２個の発光ダイオードＬ１、Ｌ２は鋸刃４とハンドル部１０の間の丸のこ本体１の下部に位置し、鋸刃４に近接して配置されている。この発光ダイオードＬ１、Ｌ２は鋸刃４が被削材上面に描かれた墨線に沿って切断しているかどうか確認できるように、鋸刃４が被削材を切断している箇所、即ち鋸刃の刃先部がベース２の底面と平行な面より突出す箇所及びその周辺の領域を照射する（図１）。
【００２１】
一方他の２個の発光ダイオードＬ３、Ｌ４は鋸刃４とハンドル部１０の間の丸のこ本体の上部に位置し（図４）、ベース２の前方を照射する。すなわち、この発光ダイオードＬ３、Ｌ４はベース２の先端に設けられた刃先位置を指し示すガイド部１２（図６）が被削物の上面に描かれた墨線に沿って移動しているかどうかを確認できるように、切断方向前方におけるベース２端部付近の領域を照射するために設けられている。
【００２２】
図７は上記発光ダイオードＬ１〜Ｌ４を駆動する回路の一実施例を示す。電源からの電圧はスイッチＳＷ及び抵抗Ｒ１、Ｒ２、Ｒ３、Ｒ４、を介してダイオードブリッジ回路ＢＤの一対の端子に印加される。このブリッジ回路ＢＤにより整流された電圧はブリッジＢＤの他の一対の端子より取り出されツェナーダイオードＺ１により定電圧化された後、発光ダイオードＬ１〜Ｌ４に加えられる。
【００２３】
本発明の実施形態においては抵抗Ｒ１〜Ｒ４の値を所定の値に選定し、発光ダイオードＬ１、Ｌ２、Ｌ３、Ｌ４に流れる電流を調整するか、あるいは発光ダイオードの個数を適宜選定して、鋸刃の先端部及びベース先端部の領域の照度を所望の値に設定する。
【００２４】
上述の照明装置は図９のように実装されている。図９において３０は照明装置用のユニットで、このユニットにベース先端部を照明するための発光ダイオードＬ１、Ｌ２及び切断部を照明するための発光ダイオードＬ３、Ｌ４が実装されている。さらに抵抗Ｒ１〜Ｒ４、ダイオードブリッジ回路ＢＤ及びツェナーダイオードＺ１よりなる電子回路部３１がその中間に配置され、また発光ダイオードＬ３、Ｌ４に近接した位置にスイッチＳＷが実装されている。
【００２５】
本発明においてはこの照明装置の配置に一つの特徴がある。図２に示すように、本発明においては上記の単一のユニットに形成された照明装置が、鋸刃４の面より電動機９側であって、且つハンドル部１０の延長面より鋸刃４側に配置されている。すなわち鋸刃４の面とハンドル部１０の延長面との間の空間にすべての照明装置が収納され、且つ鋸刃４に近接した丸のこ本体の位置に配置される。具体的には例えばギアケース８（図２）の上面に取付けられる。
【００２６】
２個の発光ダイオードＬ１、Ｌ２は図１に示すように鋸刃４の側面より見て横方向に取り付けられている。鋸刃４が最大切込み深さにある図１の状態では発光ダイオードＬ１が主として切断部付近を照射する役割を果している。
【００２７】
一方、この状態から図４に示すように丸のこ本体１を軸３を中心に回動し、切込み深さを浅くすると、発光ダイオードＬ２が主として切断部付近を照射する役割を果すようになる。このように２個の発光ダイオードを横方向に配列することにより照射範囲を広くすることができ、切込み深さを変えても常に切断部付近を照射することが可能になる。
【００２８】
尚、図１では２個の発光ダイオードＬ１、Ｌ２の光照射方向がベース２に対して同じ角度となるように配列されているが、互いに異なる角度となるように配置することにより切込み深さが変化した場合の照射範囲を更に広くすることができる。
【００２９】
また図２に示すように発光ダイオードＬ１、Ｌ２は鋸刃４とハンドル部１０との間のスペースで且つ鋸刃４に近接した位置に配置され、且つ、両発光ダイオードＬ１、Ｌ２からの光照射方向の中心軸が鋸刃４の側面に対して傾斜した角度で配置される。このようにすると鋸刃４を照射する範囲を広くすることができる。また図２では明瞭でないが、２個の発光ダイオードＬ１、Ｌ２は１つのケースに収納されており、その収納ケースはベース２に面した側と、鋸刃４に面して側の２面が開口し、他の面は遮光部材により覆われている。このように切断部にできるだけ接近し、且つその方向に光が集中して照明できるように発光ダイオードＬ１、Ｌ２を配置することにより多量の粉塵の中でも刃先による切断の状況を目視することが可能になる。
【００３０】
また鋸刃４の先端部は通常作業者が覗き込むような姿勢をとらないとよく見えないことが多いが、上記の実施形態のように鋸刃４とハンドル部１０との間のスペースに発光ダイオードＬ１、Ｌ２を設けると、ハンドル部１０を右手で把持しながら鋸刃４の反対側の側面、即ちモータ等の障害のない側から刃先を見ることができ、無理な姿勢をとらなくても切断状況の確認が容易になる。更に後で述べる別の発光ダイオードＬ３、Ｌ４も上面から見たときに鋸刃４に対して同じ側に配置されているので発光ダイオードＬ１〜Ｌ４及びその駆動回路も含め、小さいスペースにコンパクトに収納することができる。
【００３１】
なお、通常携帯用丸のこでは鋸刃とハンドル部との間に鋸刃の回転をロックするためのロックレバーを設けた構成をしているが、上記したように照明装置をコンパクト化することができることにより、ロックレバーの操作性の低下を招くことがない。
【００３２】
一方、本発明実施形態においては上記の発光ダイオードＬ３、Ｌ４は、丸のこの背面から見た場合、図３に示すように縦方向（上下方向）に取り付けられている。そして図３のように最も切込み深さが深い時に、上部に位置する発光ダイオードＬ３によりベース２の先端近傍の領域を照らし、下部にある発光ダイオードＬ４により上記ベース２より離れた前方の領域を照明するように配置されている。また図５に示すように鋸刃４の切込み深さが浅い時には下部に位置する発光ダイオードＬ４によりベース２の先端近傍の領域を照明する。この時上部に位置する発光ダイオードＬ３の照射光はベース２の先端部から進行方向の後方の領域を照らすようになる。
【００３３】
即ち上述の実施形態では２個の発光ダイオードＬ３、Ｌ４が上下方向に配置され、各発光ダイオードＬ３、Ｌ４から出射した光が途中で一度クロスした後にベース２の先端付近を照射するように配置されているので、切り込み深さが深いときには主に発光ダイオードＬ３がベース先端部の照明に寄与し、切り込み深さが浅いときには発光ダイオードＬ４がベース先端部の照明に寄与する。この結果鋸刃４の切り込み深さに無関係に常にベースの先端部が照明されることになり墨線の確認が容易になる。
【００３４】
図６は図２とは角度を変えて見た上面図を示す。平面的な位置関係では、上記の発光ダイオードＬ３、Ｌ４は鋸刃４から見てハンドル部１０側に位置し、且つできるだけ鋸刃４に近接した位置に設けられている。作業者はハンドル部１０を把持しながら鋸刃４の反対側からベース先端部を見るような姿勢になるので発光ダイオードＬ３、Ｌ４は上記の位置にあることが望ましい。また発光ダイオードＬ３、Ｌ４を取り付けると必然的にその発光のための電気回路も必要になるが、鋸刃４とハンドル部１０との間の空間にはこれらを収納するスペースを確保し易く、コンパクトに照明装置を取り付けることができる。
【００３５】
本発明者の測定によると図３のように切り込み深さが深い場合に比べ図５に示すように鋸刃４の切り込み深さが浅い場合、ベース２の先端部近辺の照度は３０％程度高いことが見出された。尚図４の切込み深さは９ｍｍとしたが、これは集塵用丸のこが使用される一般的な被削材１枚分の最小厚みを考慮した値である。
【００３６】
極めて多量の粉塵が発生しても墨線の目視に支障がないようにするには、ベース先端部の照度が、ベース底面における測定で１００ルクス程度は確保することが望ましいことが確認された。従って、図５の状態で１００ルクス程度を得るには図３のような最大切り込み深さの状態では１３０〜１４０ルクス程度必要ということになる。
【００３７】
一方、鋸刃４の刃先部を照明する発光ダイオードＬ１、Ｌ２はベース先端部よりも粉塵の多い場所を照明するので、切り込み時が９ｍｍと浅い場合（図４）でも、ベース底面で１４０ルクス程度あることが望ましいことが確認された。図４の状態で１４０ルクスの照度があると図１のように切り込み深さを最大にした場合のベース底面の照度は１４０ルクスの２倍以上の照度となり極めて多量の粉塵が発生しても墨線の目視に支障がないことが確認された。
【００３８】
本発明の実施形態では上記発光ダイオードＬ〜Ｌ４として発光波長が５５０ｎｍから６２０ｎｍの範囲にある単色光の発光ダイオードが使用される。図８は既に市販されている黄色（あるいは橙色）の発光をする発光ダイオードの波長特性を示しているが、この発光色が多量の粉塵中で墨線を目視するときに、最も視認性のよいことが確認された。なお、約９０名を対象に視認性の良さについて確認を行ったが、ほぼ全員が白色発光ダイオードよりも本発明の発光ダイオードの方が見易い、即ち視認性に優れていると評価した。
【００３９】
この理由はいろいろ考えられるが、比視感度が５５０ｎｍ〜６２０ｎｍの領域でかなり高いこと、また単色光であるため木材などからの反射が少ないこと、また多量の粉塵の中で乱反射することがないこと等が原因と考えられる。なお、霧など乱反射が生じ易いときに使用される自動車のフォグランプも、黄色または橙色を採用しており、黒を際立たせる色として黄色が効果的であることも一つの理由と考えられる。
【００４０】
なお、上記実施形態では、発光ダイオードＬ１〜Ｌ４の発光波長が５５０ｎｍから６２０ｎｍの範囲内にある例を挙げたが、全ての発光波長が５５０ｎｍから６２０ｎｍの範囲内になくとも、最大発光強度を有する光の波長が５５０ｎｍから６２０ｎｍの範囲内にある単色光の発光ダイオードも、上記実施形態と同様の効果を奏し得るものである。
【００４１】
以上本発明の実施形態について説明したが、本発明の基本的な技術的思想を変更することなく種々の変形をすることは容易である。例えば上記実施形態では刃先部を照明する発光ダイオードとベース先端部を照明する発光ダイオードをそれぞれ２個としたが、この個数は必要に応じて増減することが可能である。但し、実施形態のように２個とすると次のような利点がある。
【００４２】
発光ダイオードは、電球と比較して長寿命であるという効果をもつ反面、照射角度が小さいという難点もある。例えば本発明にて採用した発光ダイオードの照射角度は２４度である。このため、特に切込み深さ調整機構を備えた携帯用丸のこにおいては、切込み深さを調整することによって所望の照射領域を照射することが困難となってしまう。しかし、上記の本発明の実施形態のような構成とすることによって、切込み深さを変更したとしても所望の領域を照射することが可能で、かつ長寿命な照明装置を備えた携帯用丸のこを提供することが可能になる。
【００４３】
【発明の効果】
本発明によれば複数個の発光ダイオードとこれらに電力を供給するための電子回路部及び電力の供給を切断するスイッチをユニット構成とし、このユニットを鋸刃の面とハンドル部の延長面との間のスペースに収納、配置したのでそれほど場所を取らず、しかも鋸刃の刃先とベースの先端部を効率的に照明することが可能になる。
【００４４】
また鋸刃の面に対して一方の側にすべての発光ダイオードを配置し、鋸刃の面の他方の側から刃先やベース先端部を見ることになるので作業者は無理な姿勢をとる必要がなく、切断状況の確認が容易であるという効果もある。
【図面の簡単な説明】
【図１】本発明にかかる電動工具の一実施例を示す正面図。
【図２】本発明にかかる電動工具の一実施例を示す要部断面側面図。
【図３】本発明にかかる電動工具の一実施例を示す背面図。
【図４】図３に示す電動工具において切込み深さを変えた状態を示す正面図。
【図５】本発明にかかる電動工具の一実施例を示す背面図。
【図６】本発明にかかる電動工具の一実施例を示す平面図。
【図７】本発明の電動工具に用いられる発光ダイオードの駆動回路図。
【図８】本発明にかかる電動工具に用いられる発光ダイオードの波長特性図。
【図９】本発明にかかる照明装置の実装を示す平面図。
【図１０】携帯用集塵丸のこで被削材を切断している状態を示す説明図。
【図１１】携帯用集塵丸のこで被削材を切断している状態を示す一部拡大図。
【符号の説明】
１：丸のこ本体
２：ベース
３：支持軸
４：鋸刃
５：ソーカバー
６：回転軸
７：セーフティーカバー
８：ギヤケース
９：電動機カバー
１０：ハンドル部
１１：粉塵排出口
１２：ベースカバー切込部
Ｌ１〜Ｌ４：発光ダイオード
【図１】
2004209760.tif 000003
【図２】
2004209760.tif 000004
【図３】
2004209760.tif 000005
【図４】
2004209760.tif 000006
【図５】
2004209760.tif 000007
【図６】
2004209760.tif 000008
【図７】
2004209760.tif 000009
【図８】
2004209760.tif 000010
【図９】
2004209760.tif 000011
【図１０】
2004209760.tif 000012
【図１１】
2004209760.tif 000013